(57)【要約】      （修正有）【課題】連なったソーセージを装置の機械的な変更を行うことなく、所定の長さのソーセ−ジに分割できる装置と方法を提供する。【解決手段】連なったソーセージ１４を分割する装置と方法であって、上記連なったソーセージ１４がその間を移送方向Ｔに搬送されると共に、その各々が分割素子４ａ、５ａ及び４ｂ、５ｂを含み、対向する回転移送素子を含む移送素子対が設けられている。機械的な調整なしに分割部分の長さを柔軟に設定できるように、本装置は、対応する分割素子対により互いに独立して駆動可能な隣接して配置された幾つかの移送素子対を含む。移送素子対の速度は、分離点Ｓ１、Ｓ２間の間隔が分割された連なったソーセージの所定長さｌに対応するように調整される。【選択図】図４ｂ
2008073039.tif 000002
【特許請求の範囲】
【請求項１】
連なったソーセージ（１４）を分割する装置（１）であって、
対向する回転移送素子を含む移送素子対（２，３）を含み、前記対向する回転移送素子は、前記連なったソーセージ（１４）を移送方向Ｔに搬送すると共に、少なくとも一つの分割素子（４，５）をそれぞれ含み、
前記装置は、
対応する分割素子対（４ａ，５ａ；４ｂ，５ｂ；４ｃ，５ｃ）により互いに独立して駆動可能な隣接して配置された幾つかの移送素子対（２ａ，３ａ；２ｂ，３ｂ；２ｃ，３ｃ）をさらに含むことを特徴とする装置。
【請求項２】
前記装置（１）は、分割素子を持たないが前記連なったソーセージを案内し支持するように構成された独立して駆動可能な移送素子対（２ｃ，３ｃ）と、詰め込み材料の吐き出しと前記連なったソーセージの移送速度とに同期して作動する速度で前記移送素子対（２ｃ，３ｃ）を駆動する制御装置（１０）と、をさらに含む、請求項１に記載の装置。
【請求項３】
少なくとも一つの移送素子対（２ａ，３ａ；２ｂ，３ｂ）は、同様にして駆動される幾つかの隔置された副移送素子対（２ａ’，ａ''，３ａ’，ａ''，２ｂ’，ｂ''，３ｂ’ｂ''）から形成される、請求項１または２の少なくとも一項に記載の装置。
【請求項４】
離れて並置された前記副移送素子（２ａ’，ａ''，３ａ’，ａ''，２ｂ’，ｂ''，３ｂ’，ｂ''）は、前記分割素子（４ａ、５ａ；４ｂ、５ｂ）が配置される前記移送素子対の連結素子（８）により接続される、請求項３に記載の装置。
【請求項５】
前記分割素子（４ａ，５ａ；４ｂ，５ｂ；４ｃ，５ｃ）は、前記隣接する移送素子の中心軸Ｍ上に実質的に存在するように配置された、請求項１乃至請求項４の少なくとも一項に記載の装置。
【請求項６】
前記分割素子（４ａ，５ａ；４ｂ，５ｂ；４ｃ，５ｃ）は、移送方向Ｔに垂直な軸を中心に回転自在に取り付けられるように前記移送素子上に配置された、請求項１乃至請求項５の少なくとも一項に記載の装置。
【請求項７】
前記連なったソーセージに係合する連続した分割素子対（４ａ，５ａ；４ｂ，５ｂ；４ｃ，５ｃ）によって分離された前記連なったソーセージの部分が所定長ｌを有するように、前記移送素子対（２ａ，３ａ；２ｂ，３ｂ；２ｃ，３ｃ）の独立駆動を制御する制御装置（１０）が設けられた、請求項１乃至請求項６の少なくとも一項に記載の装置。
【請求項８】
前記移送素子対（２ａ，３ａ；２ｂ，３ｂ；２ｃ，３ｃ）の前記回転移送素子は、概して互いに並列に対向して配置され、または移送方向Ｔに特定の角度（α）で互いに接近する、請求項１乃至請求項７の少なくとも一項に記載の装置。
【請求項９】
請求項１乃至請求項８の少なくとも一項に記載の装置により、連なったソーセージを分割する方法であって、
ａ）前記隣接して配置された回転移送素子対（２ａ，３ａ；２ｂ，３ｂ；２ｃ，３ｃ）を介して前記連なったソーセージ（１４）を移送方向Ｔに移送する工程と、
ｂ）前記連なったソーセージに係合する前記移送素子対（２ａ，３ａ；２ｂ，３ｂ；２ｃ，３ｃ）のうちの一つの分割素子対（４ａ，５ａ；４ｂ，５ｂ；４ｃ，５ｃ）により第１の点Ｓ１で前記連なったソーセージ（１４）を分割する工程と、
ｃ）前記連なったソーセージ（１４）をさらに移送する工程と、
ｄ）前記連なったソーセージに係合する別の移送素子対（２ａ，３ａ；２ｂ，３ｂ；２ｃ，３ｃ）の後続の分割素子対（４ａ，５ａ；４ｂ，５ｂ；４ｃ，５ｃ）により第２の点Ｓ２で前記連なったソーセージを分割する工程と、を含み、
前記移送素子対（２ａ，３ａ；２ｂ，３ｂ；２ｃ，３ｃ）の速度は、前記第１の点Ｓ１と第２の点Ｓ２との間隔が前記分割された連なったソーセージ（１４）の所定長ｌに対応するように調整される、方法。
【請求項１０】
前記分割素子対が連なったソーセージに係合すると、対応する移送素子対は、詰め込む材料の吐き出しと前記連なったソーセージの搬送速度とにそれぞれ同期した速度で駆動される、請求項９に記載の方法。
【請求項１１】
前記分離点を生成するために、前記工程ａ）とｄ）において、２つの分割素子対（４ａ，５ａ；４ｂ，５ｂ；４ｃ，５ｃ）はそれぞれ、分離すべき前記連なったソーセージに直接に順々に係合される、請求項９または１０に記載の方法。
【請求項１２】
前記２つの分割素子対（４ａ，５ａ；４ｂ，５ｂ；４ｃ，５ｃ）は、異なる移送素子対（２ａ，３ａ；２ｂ，３ｂ；２ｃ，３ｃ）上に配置され、前記第２の分割素子対を含む前記移送素子対は前記第１のものよりゆっくり駆動される、請求項１１に記載の方法。
【発明の詳細な説明】
【技術分野】
【０００１】
本発明は、請求項１の前文および請求項９に記載の連なったソーセージ（stuffed sausage skein）を分割する装置とその方法に関する。
【背景技術】
【０００２】
このような装置は、特許文献１により既に知られているが、図１１を参照しさらにその詳細を次に説明する。ソーセージの製造では、連なったソーセージを部分方式で（in a portioned manner）詰める装置と定常方式で（in a constant manner）詰める装置との間でその差異が生じる。部分方式の装置では、既定量が、詰め込み機の詰め込みパイプからソーセージ皮内に吐き出される。次に、該部分は例えば外皮を回転することにより密閉され、その後、次の部分が吐き出される。このような装置では、低性能な分配のみが可能となる。
【０００３】
連続的に詰め込まれた連なったソーセージを詰める装置では、製品の吐き出しは分割処理中に停止されない。該連なったソーセージの個々の部分への分割は、分割素子による締めつけにより達成される。こうして、該連なったソーセージがさらに捩れ予応力を施されると、捩ることによりこれらの点でのいわゆる捩りを同時に発生させることができる。この装置により、より高い性能が実現される。
【０００４】
連なったソーセージを分割するためには、基本的に２つの可能性がある。
【０００５】
一方では、連続的に詰め込まれた連なったソーセージは、回転移送素子、例えばチェーン、歯付きベルトにより分割することができる。この目的を達するため、分割素子が、該移送素子の周囲上に等間隔で設けられる。これを図１１に示す。分割素子は、連なったソーセージに２つ一組で係合しそれを締め付けて各部分を生成する。分割素子同士の相互間隔と、従ってソーセージ長は、生産中は装置を修正することなく変更することはできない。
【０００６】
従って、他の長さのものを生産するためには、通常、新たなチェーン対が使用される。このように、製品長に対する柔軟性はあり得ない。また、移送素子（すなわち、分割素子が取り付けられたチェーンまたは歯付きベルト）は、通常、非可変ピッチに限定される。従って、上記チェーン対の交換は、このピッチに適合しないソーセージ長の生産を可能にするものではない。分割素子の整数倍ピッチに対応するソーセージ長のみを生産することができる。この柔軟性の欠如の改善は、特許文献２において既に図られている。分割素子を着脱可能に回転移送素子に固定し、そして該移送素子の周囲で異なるピッチを有する他の位置にこれらを取り付けることが、既にその明細書に説明されている。しかしながら、該移送素子、すなわちベルトまたはチェーン自体は特定の長さを有するので、このような実施形態もまた、その整数倍が該移送素子の長さに対応するソーセージ長の生産のみを可能とする。例として、周長が５００ｍｍの移送素子は、例えば、互いに一定の間隔の関係を有する５つの分割素子を含むことができる。従って、約１００ｍｍのソーセージ長を有するソーセージを生産することができる。４つの分割素子では、個々の部分の長さは５００ｍｍ／４＝１２５ｍｍである。このことは、所望の長さは、移送素子の周長の関数としてのみ選択することができることを意味する。１１０ｍｍのソーセージ長は、例えば、上記移送素子では実現不可能である。また、オペレーターが、その長さを調整するために、移送素子一式を完全に交換することを望まない場合、オペレーターは、毎回、機械の再装備を行なわなければならなく、これには多くの時間かかり、この間、オペレーターは該装置による生産を行うことができない。
【０００７】
連なったソーセージを分割する別の可能性は、例えば、特許文献３に記載され、これを図１２に図示する。ここでは、コンベヤーベルトは、柔軟性を有するディスプレイサ対の背後の移送方向に取り付けられる。ディスプレイサ対の速度は回転中に可変であり、従って異なる長さのソーセージを製造することができる。
【０００８】
図１２の実施形態の欠点は、必要な２つの装置、すなわちディスプレイサと、同一長の製品を製造するコンベヤーベルトとが、互いの背後に取り付けられることである。具体的には、天然腸の加工では、腸の天然の曲がりにより、連なったソーセージが理論的な詰め込み軸から逸脱しようとするので、ディスプレイサからコンベヤーベルトへの最初の部分の移送の際に問題が発生し得る。また、移送方向にはコンベヤーベルトと個々のソーセージの部分との間に係合がなく、従って発生するずれは、個々の部分の直線性偏差になる可能性がある。
【特許文献１】米国特許第６０５０８８８号明細書
【特許文献２】欧州特許第１４３０７７９号明細書
【特許文献３】欧州特許第０４７２８２５号明細書
【発明の開示】
【発明が解決しようとする課題】
【０００９】
上記に基づき、本発明は、上記装置の欠点をなくすと共に、連なったソーセージの分割を可能にする装置と方法であって、機械的な変更を行うことなく、また互いに背向して取り付けられた２つの装置を使用する必要なく柔軟に長さ調整が設定可能な装置と方法を提供することを目的とする。
【課題を解決するための手段】
【００１０】
この目的は請求項１と請求項９の特徴により達成される。
【００１１】
本発明によると、本装置は、対応する分割素子対を含む互いに独立して駆動可能な隣接して配置された幾つかの移送素子対を含む。移送素子対の速度を互いに独立して調整できることから、連続的な分割点間の間隔を、該速度を変化させることにより正確に調整することができ、従って分割された連なったソーセージの特定長ｌを調整することができる。このようにして、機械部品を変更することなく、また、完全には設定を変更することなく、異なる製品長を生成することができる。従って、分割される連なったソーセージの長さを柔軟に構成することができ、かつ任意に調整することができる。また、互いに背向して取り付けられた２つの装置間にはクリティカルな変移点はない。さらに、分割された連なったソーセージの長さは、回転移送素子の長さにもまたその周長にも依存しない。
【００１２】
本発明の好ましい実施態様によれば、本装置は、分割素子を全く持たずしかも連なったソーセージを案内し支持するように構成された独立に駆動可能な移送素子対と、詰め込み材料の吐き出しと連なったソーセージの搬送速度とにそれぞれ同期して作動する速度でこの移送素子対を駆動する制御装置と、をさらに含む。移送素子群の中央領域に好ましくは配置されるこの追加の移送素子対は、製品用の追加の支持・案内機能を担ってもよい。この移送素子対は、また、分割素子を備えた他の移送素子より長い距離をカバーすることができる。この移送素子対の支持・案内機能は、連なったソーセージの確実な保持を可能にすると共に該連なったソーセージに捩れ予応力を施すことができるので、本装置は、特に、（例えば、捩り切りおよびブレーキリング伝動装置と組み合わせた）捩り切り部分の生産に適する。このとき、他の移送素子対の分割素子同士の係合により、分離点の位置が定義される。
【００１３】
別の実施態様によれば、少なくとも一対の移送素子は、同様に駆動される幾つかの隔置された副移送素子対から形成される。次に、それとは異なる移送素子対は、それぞれ、互いに嵌め込むかあるいは互いに同一平面に存在するように配置することができる。ある間隙を介して並置されると共に同一の駆動部を有する移送素子対の副移送素子が、それぞれの連結素子により互いに接続される場合、当該分割素子は該連結素子上に取り付けてよい。このようにして、分割素子は、副移送素子の間に正確に容易に配置することができる。分割素子は好ましくは、隣接する移送素子の中心軸Ｍ上に実質的に存在するように配置される。これは、回転分割素子または分割素子対それぞれが、連なったソーセージを、横方向にずらすことなく該連なったソーセージの長手方向軸Ｌを中心として正確に分割することができることを保証する。
【００１４】
分割素子は、移送方向Ｔに対し実質的に垂直な軸を中心に回転自在に取り付けられた移送素子上に配置されるのが好ましい。これにより、分割素子を製品としての連なったソーセージに対し直角に係合させ、例えば成形された両端を形成する可能性を与える。分割素子はそれぞれ、さらに詳細には説明しないガイドにより、連なったソーセージに対し直角に案内されるか、あるいはこの位置に引き入れられる。
【００１５】
本発明によれば、連なったソーセージに係合する連続した分割素子対によって分離される連なったソーセージの部分が所定長ｌを有するように、移送素子対の独立した駆動部を制御する制御装置が設けられる。
【００１６】
移送素子対の回転移送素子は、対向して互いに平行に配置されてもよいし、あるいは移送方向Ｔに特定の角度αで互いに接近してもよい。これにより、分割素子対の分割素子は緩やかに係合することができ、従って分離点を穏やかに生成することが可能となる。
【００１７】
好都合には、分割素子対が連なったソーセージに係合すると、当該の移送素子対は、詰め込む材料の吐き出しと上記連なったソーセージの搬送速度とにそれぞれ同期して作動する速度で駆動される。これにより、連なったソーセージの連続生成と連続移送がそれぞれ可能となる。
【００１８】
本方法の好ましい実施態様によれば、互いに背向して取り付けられた２つの対の分割素子は、分離点を形成するように、分離対象の連なったソーセージに直接に順々に係合される。こうして、より間隔が広い分離点が形成される。この効果は、２つの対が係合中に異なる速度で移動する場合、すなわち第２の対の分割素子が第１の対よりゆっくり作動する場合、高められる。これにより、分離点は引き離れ、各部分間にさらに大きな間隔が生成されることになる。これは、分離点が、例えば、２つの隣接して配置されたクリップで密閉される場合、特に有利である。
【発明を実施するための最良の形態】
【００１９】
本発明につき、添付図面を参照し以下にさらに詳細に説明する。
【００２０】
図１は、本発明による装置１により所定長ｌの個々の連なったソーセージの部分に細分化される連なったソーセージ１４を形成する詰め込み機を概略的に示す。本詰め込み機は、図示しない供給機構を介し、ペースト状固まり（例えばソーセージ用挽き肉）を詰め込むと共に詰め込みパイプ１２に押し込む供給ホッパー１１をそれ自体公知の方法で含む。ケーシングブレーキ１３は詰め込みパイプの終端に設けられる。連なったソーセージを捩り切るために、モーター１６により駆動される捩り切り伝動装置１５が随意に設けられる。捩り切り伝動装置は、詰め込みパイプ１２と該詰め込みパイプ１２へ引っ張られるケーシングとを共に、長手方向軸Ｌを中心として回転可能にする。
【００２１】
詰め込みパイプ１２を介し、ペースト状固まりは、連なったソーセージ１４をそれ自体公知の方法で生成するように詰め込みパイプ１２上に嵌め込まれると共にケーシングブレーキ１３により保持されるケーシング（例えば腸）に吐き出される。
【００２２】
連なったソーセージを分割する装置１は、詰め込みパイプの直ぐ下流側に位置する。連なったソーセージは、装置１により所定長ｌの個々の部分に細分化される。図２と図３は好ましい実施形態による本発明の装置を示す。図３から、本装置が、対で配置された対向する移送素子２、３を含むことが理解できる。例えば対向する移送素子２ａ，３ａ，２ｂ，３ｂ，２ｃ，３ｃは、３つのそれぞれの移送素子対を表す。隣接して配置された移送素子２ａ，ｂ，ｃは、移送素子３ａ，ｂ，ｃに対して実質的に対称的に配置され、これにより長手方向軸Ｌは対称軸を表わす。移送素子２、３は回転するように構成される（この場合、回転するベルト、チェーン等として）。それぞれの移送素子対２ａ，３ａ；２ｂ，３ｂ；２ｃ，３ｃは、対応する駆動部６ａ，ｂ，ｃ，７ａ，ｂ，ｃにより互いに独立して駆動可能である。これは、移送素子対２ａ，３ａ；２ｂ，３ｂ；２ｃ，３ｃの対向する素子は同期して駆動され、一方、異なる移送素子対は異なる速度で駆動可能であることを意味する。
【００２３】
例えば、駆動部６ａは移送素子２ａを駆動し、駆動部６ｂは移送素子２ｂを駆動し、駆動部６ｃは中央の移送素子を２ｃ駆動する。同時に、駆動部７ａは移送素子３ａを駆動し、駆動部７ｂは移送素子３ｂを駆動し、駆動部７ｃは中央の移送素子を３ｃ駆動する。駆動部７ａ，６ａ、駆動部６ｂ，７ｂ、駆動部７ｃ，６ｃはそれぞれ対で同期して作動する。異なる駆動部は、駆動軸により駆動される対応する移送素子２ａ，ｂ，ｃ，３ａ，ｂ，ｃに接触するスリーブ領域のみが移動するように、具現化される。駆動部６ａ，ｂ，ｃ，７ａ，ｂ，ｃの駆動軸は、それぞれ、本装置の移送方向Ｔすなわち長手方向軸Ｌに対して実質的に垂直に配置される。これは、隣接して配置された移送素子が、駆動部６ａ，ｂ，ｃ，７ａ，ｂ，ｃの駆動軸に対して隣接して、すなわち実質的に移送方向Ｔに垂直に配置されることを意味する。
【００２４】
移送素子対２ａ，３ａ；２ｂ，３ｂ；２ｃ，３ｃの移送素子は、対応する分割素子４ａ，ｂ，ｃ，５ａ，ｂ，ｃを含む。図２と図３に示す例示的な実施形態において、それぞれが２つの分割素子対４ａ，５ａ；４ｂ，５ｂ；４ｃ，５ｃを有する３つの移送素子対が設けられる。一対の移送素子当たり幾つかの分割素子対を設けることも可能であろう。
【００２５】
図６、図７と併せるとさらによくわかるように、本実施形態における一対の移送素子は、離れて配置された幾つかの副移送素子対２ａ’，ａ''，３ａ’，ａ''，２ｂ’，ｂ''，３ｂ’，ｂ''から形成される。図５に示すように、外側のクロスハッチング副移送素子２ａ’，２ａ''は駆動部６ａにより駆動される移送素子２ａを構成し、これにより副移送素子２ａ’，２ａ''は同じ速度で駆動される。副移送素子２ａ’，２ａ''内には、破線で図示された副移送素子２ｂ’，２ｂ''が配置される。細分化されない移送素子２ｃは中心に配置される。副移送素子２ａ’，２ａ''と２ｂ’，２ｂ''はそれぞれ連結素子８のアーチにより互いに接続され、これにより分割素子４ａと４ｂはそれぞれ対応するアーチ８上に配置される。分割素子４ｃは、移送素子２ｃ上に直接に配置される。分割素子４ａ，ｂ，ｃは、連なったソーセージ１４が正しく分割されることを保証するように、隣接する移送素子の中心軸Ｍ上に実質的に存在するように配置される。図５からわかるように、好ましくは、分割素子４ａ，ｂ，ｃは、移送素子の駆動軸と平行な軸を中心として回転可能なように取り付けられる。この目的を達するためにベアリング９が設けられる。これにより、分割素子４ａ，ｂ，ｃを連なった詰め込み材料に対し直角に係合させ、例えば成形された両端を（捩り切ることなしに）形成することが可能となる。分割素子は、さらに詳細に説明も図示もしないガイドにより、連なったソーセージに対し直角に案内されるか、あるいはこの位置に引き入れられる。
【００２６】
分割素子４ａ，ｂ，ｃは、例えば直線状の板、Ｖ字形等、様々な形状を有してよい。
【００２７】
図５に関連して移送素子対の半分のみが説明されたが、該移送素子対の対向する移送素子が上記に従って構成されることは理解されるであろう。
【００２８】
図６は、図５に関連した説明に従って構成された隣接して配置された移送素子３ａ，ｂ，ｃの分解されたものの平面図を示す。図６に図示するように、移送素子３ａ，ｂ，ｃそれぞれは３つの分割素子４ａ、４ｂ、４ｃを有する。同じ移送素子の分割素子４は、閉じた移送素子すなわち閉じたベルトが特定のピッチを有するように互いに所定間隔Ｋ１、Ｋ２またはＫ３を有する。図６に図示された状態では、分割素子４ａは分割素子４ｂから間隔ａを有する。分割素子４ｂは分割素子４ｃから間隔ｂを有し、分割素子４ｃは分割素子４ａから間隔ｃを有する等々である。これらの間隔は可変である。これらの間隔は、分割素子が対応する移送素子により駆動される速度を変化させることにより変化させることができる。図５に示すように、例えば、間隔ｂは間隔ａより小さい。
【００２９】
図１に示す制御装置１０により、個々の移送素子対の速度は、連なったソーセージ１４に係合する連続する分割素子対により分割された連なったソーセージの部分がそれぞれ所定長ｌを有するように、対応する駆動部６、７を介して制御することができる。分割素子は、互いに追いつくことができない。
【００３０】
本発明による装置は次のように動作する。上述のように、連なったソーセージ１４は図１に示す詰め込み機により生成され、隣接して配置された移送素子対２ａ，３ａ；２ｂ，３ｂ；２ｃ，３ｃを通過する。それぞれの移送素子対の移送素子は、分割素子対４ａ，５ａ；４ｂ，５ｂ；４ｃ，５ｃの対応する分割素子が互いに対で配向され、そしてそれらが連なったソーセージと係合するとそれらが分離点Ｓを形成するように実質的に互いに対向して配置されるように、同期して駆動されて整列される。次に、例えば、図４ａから理解できるように、連なったソーセージ１４は、連なったソーセージに係合する分割素子対４ｃ，５ｃにより第１の点Ｓ１で分割される。分割素子の係合中に、連なったソーセージ内のペースト状固まりはこの時点で移動され、分離点が生成される。従って、一般的に知られているように、分割素子４、５は互いに係合してもよいし、あるいは互いスライドしてもよい。分割素子４ｃ，５ｃは、移送素子対２ｃ，３ｃ上に配置される。連なったソーセージに係合すると、分割素子対４ｃ，５ｃは、詰め込み材料吐き出しすなわち詰め込みパイプからのペースト状固まりの吐き出し速度に、あるいはそれぞれ連なったソーセージ１４の移送速度に同期して制御装置１０により駆動される。連なったソーセージ１４は、係合する分割素子４ｃ，５ｃの移動により移送方向Ｔにさらに搬送される。
【００３１】
図４ａからわかるように、連なったソーセージ１４と係合する分割素子対４ｃ，５ｃの後、移送素子対２ｂ，３ｂ上に配置された分割素子対４ｂ，５ｂが続く。この分割素子の後続の対は、形成すべき次の分離点Ｓ２の方向に、制御装置１０により制御された対応速度で移動し、そして恐らく短い待機期間後に第２の分離点Ｓ２と、従って長さｌを有する部分とを生成するように所望の瞬間に係合され得る。図４ａと４ｂにおいて示される実施例では、この移送素子対上に配置された分割素子対のいずれも連なったソーセージ１４と係合していないので、移送素子対２ｂ，３ｂは連なったソーセージの移送速度と異なる速度で移動することができる。こうして、制御装置１０により、移送素子対２ａ，３ａ；２ｂ，３ｂ；２ｃ，３ｃの速度は、第１の点Ｓ１と第２の点Ｓ２との間隔が、分割された連なったソーセージの所定長ｌに対応するように調整することができる。制御装置１０は、回転移送素子の長さと周囲長それぞれと、そして対応するピッチとに基づいて、どの速度でそれぞれの移送素子が特定の分離点を生成しなければならないかを計算する。
【００３２】
図４ａと４ｂに関連して示された処理は、連続的に繰り返される。
【００３３】
図４ａと４ｂからわかるように、好ましい実施形態によると、分離点Ｓ１、Ｓ２は、２つの分割素子対４、５が分割対象の連なったソーセージ１４において互いに直接背向して係合されるように生成されてよい。こうして、より間隔が広い分離点が形成される。この効果は、２つの対４，５が係合中に異なる速度で移動する場合、すなわち第２の対が第１の対よりゆっくり作動する場合、高められる。この目的を達するために、互いに背向して作動する２つの分割素子対、例えば４ａ、５ａ、４ｂ、５ｂは、異なる移送素子対上に配置されなければならない。このようにして、分割素子対間の間隔を変化させることができる。２つの連続するディスプレイサ対、ここでは４ｃ，５ｃ；４ｄ，５ｄおよび４ｅ，５ｅ；４ｆ，５ｆもまた、異なるシーケンスの動きを許容するように異なる移送素子上に配置されなければならない。こうして、各部分間にさらに大きな間隔を生成する可能性がある。これは、例えば２つの隣接して配置されたクリップにより実行される閉成処理において有利である。
【００３４】
図７に、本発明の好ましい実施形態を示す。この実施形態では、分割素子を持たないが当該連なったソーセージ１４を案内し支持するように具現化された独立して駆動可能な移送素子２ｃが設けられる。この移送素子対２ｃ，３ｃは、詰め込み材料吐き出しと連なったソーセージ１４の移送速度にそれぞれ同期して作動するように制御装置１０により駆動される。この移送素子対の表面とその間隔は、それぞれ、連なったソーセージ１４を支持し案内するように設計されている。次に、この中央部の移送素子対はまた、分割素子４，５を備えた他の移送素子より大きな距離をカバーすることができる。この装置は、捩り切り部分の生産に、すなわち（図１に図示するように）捩り切り伝動装置１５とブレーキリング１３が設けられた場合に、特に適している。次に、連なったソーセージ１４は一定速度で吐き出され、移送素子対２ｃ，３ｃにより保持され、捩れ予応力が施される。次に、分割素子の係合により捩り切り点が定義される。
【００３５】
図９からわかるように、本発明の別の実施形態によると、移送素子対の回転移送素子は対向して互いに平行に配置されないが移送方向Ｔに特定角度αで互いに接近することも可能である。これにより、分割素子対の分割素子は緩やかに係合することができ、従って分離点は穏やかに生成される。
【図面の簡単な説明】
【００３６】
【図１】本発明による装置を備えた詰め込み機の概略側面図を示す。
【図２】連なったソーセージを分割する本発明による装置の実施形態の透視図を示す。
【図３】図２に図示した実施形態の側面図を概略的に示す。
【図４ａ】分割処理中の本発明による装置の断面を示す。
【図４ｂ】分割処理中の本発明による装置の断面を示す。
【図５】隣接して配置された移送素子の断面の透視図を示す。
【図６】好ましい実施形態による隣接して配置された移送素子の分解されたものの平面図を示す。
【図７】別の好ましい実施形態による隣接して配置された移送素子の平面図を示す。
【図８】本発明の別の実施形態の透視図を示す。
【図９】本発明の別の好ましい実施形態の側面図を示す。
【図１０】互いに背向して取り付けられた２つの分割素子対による分離点の生成を透視図で概略的に示す。
【図１１】従来技術による連なったソーセージを分割する装置を示す。
【図１２】従来技術による連なったソーセージを分割する装置を示す。
【符号の説明】
【００３７】
２，２ａ，２ｂ，２ｃ，３，３ａ，３ｂ，３ｃ  移送素子
４，４ａ，４ｂ，４ｃ，５，５ａ，５ｂ，５ｃ  分割素子
８  連結素子
１０  制御装置
【図１】
2008073039.tif 000003
【図２】
2008073039.tif 000004
【図３】
2008073039.tif 000005
【図４ａ】
2008073039.tif 000006
【図４ｂ】
2008073039.tif 000007
【図５】
2008073039.tif 000008
【図６】
2008073039.tif 000009
【図７】
2008073039.tif 000010
【図８】
2008073039.tif 000011
【図９】
2008073039.tif 000012
【図１０】
2008073039.tif 000013
【図１１】
2008073039.tif 000014
【図１２】
2008073039.tif 000015